(57)【要約】  録画再生装置は、端末装置との間で通信可能なネットワーク上に配置される。この録画再生装置は、端末装置からネットワークを介して映像データの録画予約要求を受ける録画予約部と、ネットワークからマルチキャスト、ブロードキャスト、及びユニキャストの少なくとも一つを用いて端末装置に配信される映像データを受信する通信部と、受信した映像データを録画予約要求に基づいて録画する映像録画部と、録画した映像データを、その映像データの再生要求を行った端末装置にネットワークを介して配信する映像配信部とを備える。
2009128492.tif 000002
【特許請求の範囲】
【請求項１】
端末装置との間で通信可能なネットワーク上に配置される録画再生装置であって、
前記端末装置から前記ネットワークを介して映像データの録画予約要求を受ける録画予約部と、
前記ネットワークからマルチキャスト、ブロードキャスト、及びユニキャストの少なくとも一つを用いて前記端末装置に配信される映像データを受信する通信部と、
受信した前記映像データを前記録画予約要求に基づいて録画する映像録画部と、
録画した前記映像データを、その映像データの再生要求を行った端末装置に前記ネットワークを介して配信する映像配信部と、
を備えたことを特徴とする録画再生装置。
【請求項２】
前記映像録画部は、前記映像データの録画予約要求の有無にかかわらず、受信した映像データすべてを録画し、
前記映像配信部は、録画した前記映像データを、事前にその映像データの録画予約要求を行った端末装置に配信することを特徴とする請求項１に記載の録画再生装置。
【請求項３】
前記映像配信部は、録画した前記映像データを、配信する前記端末装置及び前記ネットワークのいずれか、または両方の性能に合わせてトランスコードすることを特徴とする請求項１又は２に記載の録画再生装置。
【請求項４】
前記端末装置から録画した前記映像データの削除要求を受けて、その映像データを削除する削除部をさらに備えたことを特徴とする請求項１又は２に記載の録画再生装置。
【請求項５】
前記映像配信部は、前記映像データの再生要求を受信した回数を前記端末装置のユーザ毎にカウントし、録画した前記映像データを前記端末装置に配信する回数をユーザ毎に制限することを特徴とする請求項１又は２に記載の録画再生装置。
【請求項６】
録画した前記映像データ及び再生済みの前記映像データのいずれか、または両方を一定期間経過後に削除する削除部をさらに備えたことを特徴とする請求項１又は２に記載の録画再生装置。
【請求項７】
前記映像配信部は、前記映像データの配信時にその再生が途中で停止された場合に、その該当映像データの停止位置を記録し、前記映像データの次回配信時に前記停止位置から該当映像データの配信を開始することを特徴とする請求項１又は２に記載の録画再生装置。
【請求項８】
端末装置との間で通信可能なネットワーク上に配置される録画再生装置の動作方法であって、
前記端末装置から前記ネットワークを介して映像データの録画予約要求を受け、
前記ネットワークからマルチキャスト、ブロードキャスト、及びユニキャストの少なくとも一つを用いて前記端末装置に配信される映像データを受信し、
受信した前記映像データを前記録画予約要求に基づいて録画し、
録画した前記映像データを、その映像データの再生要求を行った端末装置に前記ネットワークを介して配信する、
ことを特徴とする録画再生装置の動作方法。
【請求項９】
前記映像データを録画するときに、前記映像データの録画予約要求の有無にかかわらず、受信した映像データすべてを録画し、
前記映像データを配信するときに、録画した前記映像データを、事前にその映像データの録画予約要求を行った端末装置に配信することを特徴とする請求項８に記載の録画再生装置の動作方法。
【請求項１０】
さらに、前記端末装置から録画した前記映像データの削除要求を受けて、その映像データを削除することを特徴とする請求項８又は９に記載の録画再生装置の動作方法。
【請求項１１】
端末装置との間で通信可能なネットワーク上に配置される録画再生装置の動作プログラムであって、
コンピュータに、
前記端末装置から前記ネットワークを介して映像データの録画予約要求を受けるステップと、
前記ネットワークからマルチキャスト、ブロードキャスト、及びユニキャストの少なくとも一つを用いて前記端末装置に配信される映像データを受信するステップと、
受信した前記映像データを前記録画予約要求に基づいて録画するステップと、
録画した前記映像データを、その映像データの再生要求を行った端末装置に前記ネットワークを介して配信するステップと、
を実行させるための録画再生装置の動作プログラム。
【請求項１２】
前記映像データを録画するステップは、前記映像データの録画予約要求の有無にかかわらず、受信した映像データすべてを録画し、
前記映像データを配信するステップは、録画した前記映像データを、事前にその映像データの録画予約要求を行った端末装置に配信することを特徴とする請求項１１に記載の録画再生装置の動作プログラム。
【請求項１３】
さらに、前記端末装置から録画した前記映像データの削除要求を受けて、その映像データを削除するステップを有することを特徴とする請求項１１又は１２に記載の録画再生装置の動作プログラム。
【請求項１４】
請求項１から７のいずれか１項に記載の録画再生装置と、
前記映像データを前記ネットワークを介して前記端末装置に配信する配信装置と、
を備えたことを特徴とする映像配信システム。
【請求項１５】
前記端末装置は、携帯電話機であることを特徴とする請求項１４に記載の映像配信システム。
【発明の詳細な説明】
【技術分野】
【０００１】
本発明は、マルチキャスト、ブロードキャスト、及びユニキャストによる携帯電話機などの端末装置への映像配信を行う映像配信システムに係り、特に配信された映像を録画し、その録画した映像データを端末装置へ配信する録画再生装置、その動作方法及び動作プログラム、並びに映像配信システムに関する。
【背景技術】
【０００２】
近年、地上デジタルＴＶやワンセグＴＶを携帯電話機（携帯端末）などの端末装置で視聴できるシステムが存在する。これに関連して、携帯電話機で視聴可能なワンセグＴＶなどの場合、同様の番組が通常のテレビ向けにも放送されているため、自宅やインターネット上のサーバに録画して、その後で携帯電話機から視聴できるシステムが知られている（特許文献１参照）。【０００３】
一方、携帯電話機向けにＩＰ（Internet Protocol）マルチキャストやＩＰブロードキャストで映像などのコンテンツを配信するＭＢＭＳ（Multimedia Broadcast/Multicast Service）が、３ＧＰＰ（Third Generation Partnership Project)にて規格化されている（非特許文献１参照）。ＩＰマルチキャストやＩＰブロードキャストは、１対多の通信を実現する手法であり、ＭＢＭＳにより携帯電話機にてＩＰによるテレビ放送と同様な１対多の映像配信が可能となる。
【先行技術文献】
【特許文献】
【０００４】
【特許文献１】特開２００５−３０３７１１号公報
【非特許文献】
【０００５】
【非特許文献１】3GPP TS23.246 V.8.1.0 (2007-12) 3rd Generation Partnership Project; Technical Specification Group Service and System Aspects; Multimedia Broadcast/Multicast Service (MBMS); Architecture and functional description (Release 8)
【発明の概要】
【発明が解決しようとする課題】
【０００６】
家庭向けのテレビ放送の場合、ＶＨＳ（Video Home System）やハードディスクを用いて映像の録画を行い、その後、時間のある時に録画した映像を再生して視聴するということが可能である。しかし、携帯電話機向けのＩＰマルチキャストまたはＩＰブロードキャスト映像配信では、携帯電話機での映像コンテンツの録画は、以下の要因により困難である。【０００７】
まず、携帯電話機には、一般にハードディスクは搭載されず、記録用デバイスとしてフラッシュメモリが搭載されていることが多い。多くの場合、フラッシュメモリの容量はハードディスクよりも少ないため、映像データを録画するために十分な空き容量を得られないことがある。また、携帯電話機を持ち歩くため、番組放送中に電波環境が悪い場所に移動した場合に、映像が届かなくなることもある。【０００８】
また、ＭＢＭＳでは、ＦＥＣ（Forward Error Correction）として、電波環境が弱く多少のエラーが入ったとしても、元データが復元できる機能が組み込まれているが、地下などに移動して電波が全く届かない場合は、映像は受信できない。【０００９】
さらに、携帯電話機は、バッテリー駆動のため、録画途中に電池が切れる可能性もある。【００１０】
このように携帯電話機向けのマルチキャストまたはブロードキャスト、ユニキャストによる映像配信においては、携帯電話機での映像コンテンツの録画は、使用する記録用デバイスの記憶容量や、電波環境、使用するバッテリーの持ち等のために困難である。【００１１】
一方、特許文献１では、前述したように通常のＴＶ向け番組と同様の映像を自宅やインターネット上の録画サーバに録画し、後に携帯電話機で視聴するといったシステムが開示されている。しかし、ＭＢＭＳでＩＰマルチキャストまたはＩＰブロードキャストによる映像配信を行う場合は、携帯電話ネットワークに特化したコンテンツのみが配信されることも考えられる。その場合は、特許文献１のように自宅やインターネット上のサーバで録画することはできない。【００１２】
上記のような事情は、携帯電話機に限らず、通信機能を有するＰＤＡ（Personal Digital Assistant）に代表される携帯通信装置などの他の端末装置でも同様である。【００１３】
本発明の目的は、前述した録画ができない問題を解決し、携帯電話機などの端末装置の記憶容量、電波環境、電池残量を気にすることなく、端末装置向けのＩＰマルチキャストまたはＩＰブロードキャスト、及びＩＰユニキャストの映像配信による映像データを録画し、その録画した映像データをタイムシフトして視聴できる録画再生装置、その動作方法及び動作プログラム、並びに映像配信システムを提供することにある。
【課題を解決するための手段】
【００１４】
上記目的を達成するため、本発明に係る録画再生装置は、端末装置との間で通信可能なネットワーク上に配置される録画再生装置であって、前記端末装置から前記ネットワークを介して映像データの録画予約要求を受ける録画予約部と、前記ネットワークからマルチキャスト、ブロードキャスト、及びユニキャストの少なくとも一つを用いて前記端末装置に配信される映像データを受信する通信部と、受信した前記映像データを前記録画予約要求に基づいて録画する映像録画部と、録画した前記映像データを、その映像データの再生要求を行った端末装置に前記ネットワークを介して配信する映像配信部と、を備えたことを特徴とする。【００１５】
本発明に係る録画再生装置の動作方法は、端末装置との間で通信可能なネットワーク上に配置される録画再生装置の動作方法であって、前記端末装置から前記ネットワークを介して映像データの録画予約要求を受け、前記ネットワークからマルチキャスト、ブロードキャスト、及びユニキャストの少なくとも一つを用いて前記端末装置に配信される映像データを受信し、受信した前記映像データを前記録画予約要求に基づいて録画し、録画した前記映像データを、その映像データの再生要求を行った端末装置に前記ネットワークを介して配信する、ことを特徴とする。【００１６】
本発明に係る録画再生装置の動作プログラムは、端末装置との間で通信可能なネットワーク上に配置される録画再生装置の動作プログラムであって、コンピュータに、前記端末装置から前記ネットワークを介して映像データの録画予約要求を受けるステップと、前記ネットワークからマルチキャスト、ブロードキャスト、及びユニキャストの少なくとも一つを用いて前記端末装置に配信される映像データを受信するステップと、受信した前記映像データを前記録画予約要求に基づいて録画するステップと、録画した前記映像データを、その映像データの再生要求を行った端末装置に前記ネットワークを介して配信するステップと、を実行させる。【００１７】
本発明に係る映像配信システムは、上記の録画再生装置と、前記映像データを前記ネットワークを介して前記端末装置に配信する配信装置と、を備えたことを特徴とする。
【発明の効果】
【００１８】
本発明によれば、携帯電話などの端末装置の記憶容量、電波環境、電池残量を気にすることなく、端末装置向けのＩＰマルチキャストまたはＩＰブロードキャスト、及びＩＰユニキャストの映像配信による映像データを録画し、その録画した映像データをタイムシフトして視聴することができる。
【図面の簡単な説明】
【００１９】
【図１】本発明の実施の形態に係る映像配信システムの全体構成を示す図である。
【図２】図１に示す録画サーバの内部構成を示す概略ブロック図である。
【図３】図１に示す録画サーバの録画予約時の動作を示す概略フローチャートである。
【図４】図１に示す録画サーバの再生時の動作を示す概略フローチャートである。
【図５】図１に示す録画サーバの削除時の動作を示す概略フローチャートである。
【発明を実施するための形態】
【００２０】
以下、本発明の実施の形態に係る録画再生装置、その動作方法及び動作プログラム、並びに映像配信システムについて、図面を参照して詳細に説明する。
【００２１】
図１を参照すると、本実施の形態に係る映像配信システムは、例えば前述した携帯電話機（携帯端末）向けにＩＰマルチキャスト及びＩＰブロードキャスト映像データなどのコンテンツを配信するＭＢＭＳに適用される。この映像配信システムは、映像コンテンツ（以下、「映像データ」）Ｍ１を配信する配信装置としての配信サーバ１０１と、無線基地局１０２と、映像データＭ１を記録しその記録した映像データＭ１を配信する録画再生装置としての録画サーバ１０３と、ユーザが利用する携帯電話機１０４とを備えている。配信サーバ１０１及び録画サーバ１０３は、無線基地局１０２を介して携帯電話機１０４との間で通信可能なネットワーク（以下、「携帯電話ＮＷ」）１０５上に設置される。
【００２２】
上記構成により、本実施の形態の映像配信システムは、配信された映像データＭ１を携帯電話機１０４自体に録画するのではなく、携帯電話機１０４からアクセス可能で、かつ携帯電話ＮＷ１０５上に設置した録画サーバ１０３に録画する。そして、その録画した映像データＭ１を再生するときは、その都度、録画サーバ１０３からユニキャストで携帯電話ＮＷ１０５を介して携帯電話機１０４に配信することにより、携帯電話機１０４にて個別に再生可能となっている。
【００２３】
携帯電話ＮＷ１０５には、図１に示す配信サーバ１０１、及び録画サーバ１０３以外に、例えばＭＢＭＳの場合、ＲＮＣ（Radio Network Controller：無線基地局制御装置）、ＳＧＳＮ（Serving GPRS (General Packet Radio Service) Support Node）、ＨＬＲ（Home Location Register）、ＧＧＳＮ（Gateway GPRS Support Node）、ＢＭ−ＳＣ（Broadcast Multicast Service Centre）等、様々な装置（機器）が配置される。これらの装置は公知（非特許文献１参照）のため、その構成及び動作についての説明は省略する。
【００２４】
配信サーバ１０１は、マルチキャスト及びブロードキャスト、ユニキャストの少なくとも一つを用いて、予め設定された映像配信スケジュールに従い、映像データ（映像コンテンツ）Ｍ１を携帯電話ＮＷ１０５経由で携帯電話機１０４へ向けて配信する。映像データＭ１は、ＭＰＥＧ−４やＨ．２６４といったコーデックで圧縮された動画像と、ＡＡＣ（Advanced Audio Coding）やＡＭＲ（Adaptive Multi-Rate）、ＭＰ３（MPEG Audio Layer-3）といったコーデックで圧縮された音楽と、さらにはテキストテロップなどのテキスト情報とを含む。配信サーバ１０１は、上記機能を実現可能なものであれば、装置の物理的構成、装置内部のハードウェア及びソフトウェア構成は特に限定されず、例えば物理的には１台の機器でも複数台の機器でも構成することができ、機器としては専用のサーバ機を用いても、ＰＣ（パーソナルコンピュータ）等の汎用のコンピュータ機を用いてもいずれでもよい。
【００２５】
無線基地局１０２は、配信サーバ１０１から携帯電話ＮＷ１０５経由で送られてきた映像データＭ１を電波に乗せて携帯電話機１０４に送信する。逆に、無線基地局１０２は、携帯電話機１０４からの電波を受け、データを携帯電話ＮＷ１０５経由で配信サーバ１０１や録画サーバ１０３に届けることも行う。
【００２６】
録画サーバ１０３は、配信サーバ１０１から配信された映像データＭ１を録画し、のちに録画した映像データＭ１を携帯電話ＮＷ１０５経由で携帯電話機１０４に再配信する。図１では、録画サーバ１０３は、１つの実体を成す機器として記載したが、録画サーバ１０３は複数の機能を持つため複数の機器で実現してもよい。
【００２７】
図２は、録画サーバ１０３の内部構成の一例を示す。同図に示すように、録画サーバ１０３は、携帯電話ＮＷ１０５との間で通信可能に接続される通信部１０と、制御部２０と、記録部３０とを有している。
【００２８】
通信部１０は、携帯電話機１０４から携帯電話ＮＷ１０１を介してアクセス要求Ｒ１、録画予約要求Ｒ２、再生要求Ｒ３、削除要求Ｒ４等のメッセージ（データ）を受ける。また、この通信部１０は、配信サーバ１０５からマルチキャスト、ブロードキャスト、及びユニキャストの少なくとも一つを用いて携帯電話機１０４に配信される映像データＭ１を受信する映像受信手段として機能する。
【００２９】
記録部３０は、携帯電話機１０４向けに配信される映像データＭ１を記録する映像データ記録部３１と、携帯電話機１０４のユーザの録画予約に関する録画情報Ｄ１をそのユーザの識別子に関連付けてユーザ毎に記録する録画情報記録部３２と、携帯電話機１０４のユーザの認証情報Ｄ２をそのユーザの識別子と関連付けてユーザ毎に記録する認証情報記録部３３とを有している。ユーザの録画予約に関する録画情報Ｄ１には、ユーザの識別子のほか、映像データＭ１の録画開始時間、録画終了時間、録画する番組名などの識別子など、録画予約に関するデータが含まれる。ユーザの認証情報Ｄ２は、ユーザの識別子として、ユーザＩＤまたは携帯電話端末ＩＤないしその他の識別子、パスワードのいずれかまたはその複数の情報を含む。
【００３０】
制御部２０は、映像録画部２１と、ユーザ認証部２２と、録画予約部２３と、映像配信部２４と、削除部２５とを有している。
【００３１】
映像録画部２１は、録画情報記録部３２に記録されたユーザの録画情報Ｄ１に基づいて、受信した映像データＭ１を映像データ記録部３１に録画する機能を有する。この映像録画部２１は、録画予約要求Ｒ２の有無にかかわらず、受信した映像データＭ１すべてを映像データ記録部３１に録画する機能も有する。
【００３２】
ユーザ認証部２２は、携帯電話機１０４からユーザのアクセス要求Ｒ１を受けたときに、認証情報記録部３３に記録されているユーザの認証情報Ｄ２に基づいて、ユーザの認証を行う。
【００３３】
録画予約部２３は、携帯電話機１０４からユーザの録画予約要求Ｒ２を受けたときに、その録画予約要求Ｒ２に含まれるユーザの録画情報Ｄ１を録画情報記録部３２に記録する。
【００３４】
映像配信部２４は、携帯電話機１０４からユーザの再生要求Ｒ３を受けたときに、映像データ記録部３１に録画した映像データＭ１を、その再生要求Ｒ３を行った携帯電話機１０４に向けて通信部１０を介して携帯電話ＮＷ１０５経由で配信する。
【００３５】
この映像配信部２４は、本実施の形態では、次のような付加的な機能を有する。
【００３６】
１）映像配信部２４は、録画した映像データＭ１を、事前にその映像データＭ１の録画予約要求Ｒ２を行った携帯電話機１０４のみに通信部１０を介して携帯電話ＮＷ１０５経由で配信する機能を有する。
【００３７】
２）映像配信部２４は、録画した映像データＭ１を、配信する携帯電話機１０４及び携帯電話ＮＷ１０５のいずれか、または両方の性能に合わせてトランスコードする機能を有する。
【００３８】
３）映像配信部２４は、映像データＭ１の再生要求Ｒ３を受信した回数を携帯電話機１０４のユーザ毎にカウントし、録画した映像データＭ１を携帯電話機１０４に配信する回数をユーザ毎に制限する機能を有する。
【００３９】
４）映像データＭ１の配信時にその再生が途中で停止された場合に、その該当映像データの停止位置を記録し、映像データＭ１の次回配信時に停止位置から該当映像データの配信を開始する機能を有する。
【００４０】
削除部２５は、携帯電話機１０４から認証されたユーザの削除要求Ｒ４を受けたときに、その削除対象の映像データＭ１を映像データ記録部３１から削除する機能を有する。この機能は、さらに録画した映像データＭ１及び再生済みの映像データＭ１のいずれか、または両方を一定期間経過後に映像データ記録部３１から削除する機能を有する。
【００４１】
携帯電話機１０４は、ユーザが所定の操作を行うことで、配信サーバ１０１から配信される映像データＭ１の再生を行ったり、携帯電話ＮＷ１０５経由で録画サーバ１０３に録画予約や再生要求を行ったりする機能を有している。携帯電話機１０４は、これらの機能を実現可能なものであれば、装置内部のハードウェア及びソフトウェア構成は特に限定されない。例えば、アンテナを含む無線部（送受信回路）と、信号処理用の処理部（ベースバンド処理部、アプリケーション処理部等）と、装置全体の制御を担う制御部と、制御プログラムや制御データ等を記録する記録部と、音声入出力器（スピーカ／マイクロフォン）を備える通話部と、表示コンテンツ（操作画面や映像等）を表示する表示部と、ユーザによる各種操作を行うための操作部（操作キーやボタン、スイッチ等）とを含み、通話機能、電子メール機能、ブラウザ機能等の公知機能を有するものを適用してもよい。
【００４２】
次に、本実施の形態の動作について説明する。
【００４３】
まず、配信サーバ１０１による映像配信の動作について説明する。
【００４４】
配信サーバ１０１は、マルチキャスト、ブロードキャスト、及びユニキャストの少なくとも一つを用いてＩＰパケットとして映像データＭ１を送信する。映像データＭ１は、通常のテレビ放送のように事前に決定された配信スケジュールに従って配信される。配信された映像データＭ１のＩＰパケットは、携帯電話ＮＷ１０５を介して無線基地局１０２で電波に乗せられ、携帯電話機１０４に向けて送信される。
【００４５】
これにより、携帯電話機１０４では、無線基地局１０２からの電波を受信して映像データＭ１のＩＰパケットを取得し、そのＩＰパケットから映像データＭ１をデコードして映像を再生する。このような携帯電話機１０４への映像配信は、例えばＭＢＭＳの映像配信の一例として、前述した非特許文献１に詳しく記載されている。
【００４６】
次に、録画サーバ１０３の処理手順を説明する。
【００４７】
まず、録画サーバ１０３は、携帯電話機１０４と同様に、配信サーバ１０１から携帯電話ＮＷ１０５経由でマルチキャスト及びブロードキャスト、ユニキャストの少なくとも一つを用いてＩＰパケット（マルチキャストパケット、ブロードキャストパケット、ユニキャストパケット）として配信された映像データＭ１を受信する。録画サーバ１０３は、マルチキャストグループにジョイン（ｊｏｉｎ：参加）してマルチキャストパケットを受信する、もしくはブロードキャストパケットもしくはユニキャストパケットを受信することで、携帯電話ＮＷ１０５経由で携帯電話機１０４へ配信される映像データＭ１を取得する。
【００４８】
映像データＭ１の録画は、携帯電話機１０４のユーザにより録画予約で指定された番組に対して実施される。携帯電話機１０４のユーザが多くなった場合、映像配信される映像データＭ１のほとんどの番組が録画される確率が高くなる。このため、ユーザによる録画予約がなくても、録画サーバ１０３は自身が受信できる番組をすべて録画しておく。この場合でも、録画予約はユーザがどの番組を録画したかを記録するために必要であり、ユーザは録画予約を行った番組のみを再生可能である。
【００４９】
次に、図３を参照して、映像データＭ１の録画予約時の動作について説明する。
【００５０】
まず、ユーザは、携帯電話機１０４のブラウザなどの機能を使い、録画サーバ１０３に対して携帯電話ＮＷ１０５経由でアクセスし、録画予約を開始する。この際、ユーザを識別するために、ユーザＩＤまたは携帯電話端末ＩＤないしその他の識別子、パスワードのいずれかまたはその複数の情報を含む認証情報Ｄ２をアクセス要求Ｒ１と共に録画サーバ１０３に通知する。
【００５１】
そうすると、録画サーバ１０３は、携帯電話機１０４からのアクセス要求Ｒ１を携帯電話ＮＷ１０５経由で通信部１０にて受信し（ステップＳｔ１１）、ユーザ認証部２２により、上記アクセス要求Ｒ１を行ったユーザの認証情報Ｄ２と認証情報記録部３３に登録されているユーザの認証情報Ｄ２とを照合することにより、ユーザの認証を行う（ステップＳｔ１２）。その結果、上記アクセス要求Ｒ１を行ったユーザの認証情報Ｄ２が認証情報記録部３３に登録されているユーザの認証情報Ｄ２と相違し、ユーザに録画予約の権限がない場合（ＮＯ）、録画サーバ１０３は、そのユーザからのアクセス要求Ｒ１を拒否することにより、録画予約を拒否する（ステップＳｔ１４）。
【００５２】
一方、ユーザの認証をパスした場合（ステップＳｔ１２：ＹＥＳ）、録画サーバ１０３は、その後に携帯電話機１０４から送信されてくる映像データＭ１の録画予約要求Ｒ２とその録画に必要な録画情報Ｄ１を携帯電話ＮＷ１０５経由で通信部１０にて受信する（ステップＳｔ１３）。この録画情報Ｄ１には、映像データＭ１の録画開始時間、録画終了時間、録画する番組名などの識別子などが含まれる。この録画情報Ｄ１には、その他の情報を付加してもよい。
【００５３】
そして、録画サーバ１０３は、ユーザの携帯電話機１０４から通知された録画情報Ｄ１をそのユーザの識別子に関連付けてユーザ毎に録画情報記録部３２に保存する。
【００５４】
次に、映像データＭ１の録画時の動作について説明する。
【００５５】
録画サーバ１０３は、常に映像録画部２１により録画情報記録部３２に保存されている録画予約の録画開始時間をチェックし、その録画開始時間になったら映像データＭ１の番組の録画を開始し、映像データ記録部３１に保存する。この場合、録画開始時間のチェックをせず、すべての番組を録画してもよい。複数のユーザが同一番組を録画予約していた場合は、録画予約数分コピーを保存するのではなく、受信した映像データＭ１を１つのコピーのみを映像データ記録部３１に保存する。
【００５６】
次に、図４を参照して、映像データＭ１の再生時の動作について説明する。
【００５７】
まず、ユーザは、携帯電話機１０４のブラウザなどの機能を使い、録画サーバ１０３に対して携帯電話ＮＷ１０５経由でアクセスする。この際、ユーザを識別するために、ユーザＩＤまたは携帯電話端末ＩＤないしその他の識別子、パスワードのいずれかまたはその複数の情報を含む認証情報Ｄ２をアクセス要求Ｒ１と共に録画サーバ１０３に通知する。
【００５８】
そうすると、録画サーバ１０３は、携帯電話機１０４からのアクセス要求Ｒ１を携帯電話ＮＷ１０５経由で通信部１０にて受信し（ステップＳｔ２１）、ユーザ認証部２２により、上記アクセス要求Ｒ１を行ったユーザの認証情報Ｄ２と認証情報記録部３３に登録されているユーザの認証情報Ｄ２とを照合することにより、ユーザの認証を行う（ステップＳｔ２２）。その結果、アクセス要求Ｒ１を行ったユーザの認証情報Ｄ２が認証情報記録部３３に登録されていない場合（ＮＯ）、録画サーバ１０３は、そのアクセス要求Ｒ１を拒否することにより、再生を拒否する（ステップＳｔ２３）。
【００５９】
一方、ユーザの認証をパスした場合（ステップＳｔ２２：ＹＥＳ）、録画サーバ１０３は、その後に携帯電話機１０４から送信されてくる映像データＭ１の再生要求Ｒ３とその再生に必要な再生情報を携帯電話ＮＷ１０５経由で通信部１０にて受信する（ステップＳｔ２４）。この再生情報は、ユーザの識別子と、再生対象の録画した映像データＭ１の識別子やその再生開始地点（再生開始位置）などを含む。この再生情報には、その他の情報を付加してもよい。
【００６０】
そして、録画サーバ１０３は、映像配信部２４により、再生要求Ｒ３が予め設定された録画した映像データＭ１の再生条件を満たしているかのチェックを行う（ステップＳｔ２５）。
【００６１】
第１の再生条件は、事前に該当映像データＭ１の番組を録画予約をしていることである。このため、録画サーバ１０３は、映像配信部２４により、上記認証済みユーザの再生情報と録画情報記録部３２に保存されている録画情報Ｄ１とを参照して、上記再生情報に含まれるユーザの識別子と同じ識別子を持つユーザの録画情報Ｄ１において、上記再生情報に含まれる映像データＭ１の識別子と同じ識別子をもつ映像データＭ１が登録されているかどうかを判断することにより、該当映像データＭ１の番組の録画予約がされているかどうかをチェックする。
【００６２】
第２の再生条件は、実際に映像データＭ１の録画が実行され、かつその録画した映像データＭ１が削除されていないことである。この場合、映像データＭ１の番組は、その録画が開始されていれば、最後まで録画されていなくともよい。映像データＭ１の番組の録画中であっても、追いかけ再生が可能であってもよい。録画サーバ１０３は、映像配信部２４により、録画情報記録部３２に保存されている上記ユーザの録画情報Ｄ２内の録画予約に関するデータに後述する削除フラグが付与されている場合、そのユーザはその録画データを削除したとみなし、再生を拒否する。また、録画サーバ１０３は、実際の録画した映像データＭ１が映像データ記録部３１に保存されていない場合も、再生を拒否する。
【００６３】
上記ステップＳｔ２５の処理では、さらに追加の第３の再生条件として、録画サーバ１０３は、録画データの再生回数が規定以内であることをチェックしてもよい。この場合、録画サーバ１０３は、再生要求Ｒ３を受信した回数をユーザごとにカウントし、同一ユーザからの規定以上の再生要求Ｒ３に対しては再生拒否をする。これにより、再生回数制限のある録画方法が実現する。
【００６４】
次に、上記の再生条件を満たしていた場合（ステップＳｔ２５：ＹＥＳ）、録画サーバ１０３は、映像配信部２４により、上記ユーザの携帯電話機１０４に対して再生要求Ｒ３のあった映像データＭ１のＩＰユニキャストによる配信を通信部１０を介して携帯電話ＮＷ１０５経由で開始する（ステップＳｔ２６）。これにより、配信された映像データＭ１は、無線基地局１０２で電波に載せられる。携帯電話機１０４は、その電波を受信することで映像を再生する。そして、携帯電話機１０４による映像再生が終了すると（ステップＳｔ２７：ＹＥＳ）、録画サーバ１０３は、その映像データＭ１の配信を終了する（ステップＳｔ２８）。
【００６５】
上記再生時の動作において、さらに追加の機能について説明する。
【００６６】
まず、第１の機能として、映像データＭ１の再生途中で一時停止し、次回接続時に続きから視聴できるようにしてもよい。再生を一時停止する際は、ユーザは、映像再生中に携帯電話機１０４の一時停止ボタンを押下する等の操作を行い、録画サーバ１０３に対して再生一時停止要求のメッセージを通知する。録画サーバ１０３は、そのメッセージを受信すると、これにより通知された停止位置を録画情報記録部３２に記録し、映像データＭ１の配信作業を停止する。その後、録画サーバ１０３は、携帯電話機１０４からその映像データＭ１に対する次回再生要求Ｒ３が行われたとき、その映像データＭ１の停止位置が録画情報記録部３２に記録されているかどうかチェックし、記録されている場合は、その時点から映像データＭ１の配信を開始する。
【００６７】
また、第２の機能として、録画サーバ１０３から携帯電話機１０４に録画した映像データＭ１を送信する際、携帯電話機１０４の要求によっては、録画した映像データＭ１の動画を録画サーバ１０３がトランスコードし、解像度やビットレートなどの制御パラメータの設定値を変更することがあってもよい。例えば、携帯電話ＮＷ１０５のネットワーク状態が変化したり、携帯電話機１０４のハンドオーバー時にネットワーク性能が変化したりした場合に、トランスコードのパラメータを変更してもよい。
【００６８】
次に、図５を参照して、録画データの削除時の動作について説明する。
【００６９】
まず、ユーザは、携帯電話機１０４のブラウザなどの機能を使い、録画サーバ１０３に対して携帯電話ＮＷ１０５経由でアクセスし、削除処理を開始する。この際、ユーザを識別するために、ユーザＩＤまたは携帯電話端末ＩＤないしその他の識別子、パスワードのいずれかまたはその複数の情報を含む認証情報Ｄ２をアクセス要求Ｒ１と共に録画サーバ１０３に通知する。
【００７０】
そうすると、録画サーバ１０３は、携帯電話機１０４からのアクセス要求Ｒ１を携帯電話ＮＷ１０５経由で通信部１０にて受信し（ステップＳｔ３１）、ユーザ認証部２２により、上記アクセス要求Ｒ１を行ったユーザの認証情報Ｄ２と認証情報記録部３３に登録されているユーザの認証情報Ｄ２とを照合することにより、ユーザの認証を行う（ステップＳｔ３２）。その結果、アクセス要求Ｒ１を行ったユーザの認証情報Ｄ２が認証情報記録部３３に登録されていない場合（ＮＯ）、録画サーバ１０３は、そのユーザからのアクセス要求Ｒ１を拒否し、終了する。
【００７１】
一方、認証をパスした場合（ステップＳｔ３２：ＹＥＳ）、録画サーバ１０３は、その後に携帯端末１０４から送信されてくる映像データＭ１の削除要求Ｒ４とその削除に必要な削除情報を携帯電話ＮＷ１０５経由で通信部１０にて受信する（ステップＳｔ３３）。この削除情報は、ユーザの識別子と、録画予約した映像データＭ１の番組を特定可能な識別子とを含む。
【００７２】
そして、録画サーバ１０３は、削除部２５により、録画情報記録部３２に記録されている上記認証済みユーザの録画情報Ｄ１内の録画予約に関するデータに削除済みの制御フラグ（以下、「削除フラグ」）を付ける（ステップＳｔ３４）。削除フラグの付与は、例えばフラグ値を「０」（ＯＦＦ：無し）から「１」（ＯＮ：有り）に設定する（フラグを立てる）ことで行なわれる。
【００７３】
次に、録画サーバ１０３は、削除部２５により、録画情報記録部３２に記録されているユーザの録画情報Ｄ１を参照して、映像データＭ１の指定された番組に対し、録画予約を行ったすべてのユーザの録画情報Ｄ１内の録画予約に関するデータに削除フラグが付けられたかどうかを確認する（ステップＳｔ３５）。その結果、すべてのユーザの録画情報Ｄ１内の録画予約に関するデータに削除フラグが付けられたことを確認した場合（ＹＥＳ）、すべてのユーザが削除を行ったと判断し、録画サーバ１０３は、削除部２５により、映像データ記録部３１の録画データから該当する映像データＭ１を削除する（ステップＳｔ３６）。
【００７４】
また、録画サーバ１０３は、付加的な処理として、保存するデータサイズを減らすため、録画された映像データＭ１をその録画後一定期間がたった時点で自動的に削除したり、再生が済んだ映像データＭ１のみ再生から一定期間後に削除したりする。例えば、録画サーバ１０３は、一定の周期で、映像データ記録部３１に保存されている映像データＭ１の日付をチェックし、一定時間より前の場合はその映像データＭ１の削除処理を行う。
【００７５】
以上のように、本実施の形態では、配信サーバ１０１から配信された映像データＭ１を携帯電話機１０４自体に録画するのではなく、携帯電話機１０４からアクセス可能で、かつ携帯電話ＮＷ１０５上に設置した録画サーバ１０３により録画を行い、その録画データを再生する際に、その都度、録画サーバ１０３から映像データＭ１をユニキャストで携帯電話機１０４に配信する。
【００７６】
従って、本実施の形態によれば、配信サーバ１０１からマルチキャスト、ブロードキャスト、及びユニキャストのいずれかを用いて携帯電話機向けに配信される映像データＭ１を携帯電話機１０４の制限によらずに携帯電話ＮＷ１０５上の録画サーバ１０３で録画し、時間をずらして視聴することが可能になる。すなわち、本実施の形態では、携帯電話機１０４の記録用デバイスの記憶容量や、電波環境、電池残量を気にすることなく、携帯電話機向けのＩＰマルチキャスト及びＩＰブロードキャストの映像配信コンテンツを安定して録画し、タイムシフトして視聴することが可能になる。
【００７７】
なお、上記実施の形態に係る携帯電話機向け映像配信システムの記録サーバ（記録再生装置）は、上述した構成要素（通信部１０、制御部２０、記録部３０）の各処理（機能）を実現可能なものであれば、装置の物理的構成、装置内部のハードウェア及びソフトウェア構成については、特に限定されるものではない。例えば、構成要素毎に独立して個別の回路やユニット、或いはプログラムモジュール等のプログラム部品を構成したり、複数の構成要素を１つの回路やユニット内にまとめて一体的に構成したりする等、いずれの形態のものでも適用可能である。これらの形態は、実際に使用する装置の機能や用途等の制約に応じて適宜選択、変更、変形等して実施してもよい。また、上述した構成要素の各機能に対応して、これらの各機能と同様の処理を行う装置の動作方法も、本発明の範疇に含まれる。
【００７８】
また、上述した構成要素の各機能の内の少なくとも一部は、ＣＰＵを有するマイクロプロセッサ等の処理装置で構成されるコンピュータによるソフトウェア処理で実現してもよい。この場合、コンピュータを機能させるためのプログラムは、本発明の範疇に含まれる。このプログラムは、ＣＰＵにより直接実行可能な形式のプログラムに限らず、ソース形式のプログラムや、圧縮処理されたプログラム、暗号化されたプログラム等、種々形態のプログラムを含む。また、このプログラムは、装置全体の制御を行うＯＳ（オペレーティングシステム）やファームウェア等の制御プログラムと連携して動作し、或いはその一部に組み込まれて一体的に動作するアプリケーションプログラムやそれを構成するソフトウェア部品（ソフトウェアモジュール）等、いずれの形態でも提供可能である。さらに、このプログラムは、ネットワーク上のサーバ等の外部ノードからダウンロードして自装置内の記録媒体にインストールして使用することもできる。これらの形態は、実際に使用する装置の機能や用途等の事情に応じて適宜選択、変更、変形等して実施してもよい。
【００７９】
さらに、上記のプログラムを記録したコンピュータ読み取り可能な記録媒体も、本発明の範疇に含まれる。この場合、記録媒体は、装置内に固定して使用される固定型のものや、利用者により持ち運びが可能な可搬型のもの等、いずれの形態のものでも適用可能である。
【００８０】
また、上記実施の形態では、端末装置として携帯電話機を用いる場合を説明しているが、本発明は必ずしもこれに限定されず、ＰＤＡなどの他の端末装置でも適用可能である。
【００８１】
以上、実施形態を参照して本願発明を説明したが、本願発明は上記実施の形態に限定されるものではない。本願発明の構成や詳細には、本願発明のスコープ内で当業者が理解し得る様々な変更をすることができる。
【００８２】
この出願は、２００８年４月１７日に出願された日本出願特願２００８−１０７８７０号を基礎とする優先権を主張し、その開示の全てをここに取り込む。
【産業上の利用可能性】
【００８３】
本発明は、ＭＢＭＳ等のマルチキャスト、ブロードキャスト、及びユニキャストによる携帯電話機などの端末装置への映像配信を行う映像配信システムの用途に利用可能である。特に、本発明は、配信された映像を録画し、その録画した映像データを携帯電話機などの端末装置へ配信する録画再生装置、その動作方法及び動作プログラムの用途に利用可能である。
【符号の説明】
【００８４】
１０  通信部
２０  制御部
２１  映像録画部
２２  ユーザ認証部
２３  録画予約部
２４  映像配信部
２５  削除部
３０  記録部
３１  映像データ記録部
３２  録画情報記録部
３３  認証情報記録部
１０１  配信サーバ
１０２  無線基地局
１０３  録画サーバ（録画再生装置）
１０４  携帯電話機（携帯端末）
１０５  携帯電話ネットワーク（携帯電話ＮＷ）
【図１】
2009128492.tif 000003
【図２】
2009128492.tif 000004
【図３】
2009128492.tif 000005
【図４】
2009128492.tif 000006
【図５】
2009128492.tif 000007
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
端末装置との間で通信可能なネットワーク上に配置される録画再生装置であって、
前記端末装置から前記ネットワークを介して映像データの録画予約要求を受ける録画予約部と、
前記ネットワークからマルチキャスト、ブロードキャスト、及びユニキャストの少なくとも一つを用いて前記端末装置に配信される映像データを受信する通信部と、
受信した前記映像データを前記録画予約要求に基づいて録画する映像録画部と、
録画した前記映像データを、その映像データの再生要求を行った端末装置に前記ネットワークを介して配信する映像配信部と、
を備えたことを特徴とする録画再生装置。
【請求項２】
前記映像録画部は、前記映像データの録画予約要求の有無にかかわらず、受信した映像データすべてを録画し、
前記映像配信部は、録画した前記映像データを、事前にその映像データの録画予約要求を行った端末装置に配信することを特徴とする請求項１に記載の録画再生装置。
【請求項３】
前記映像配信部は、録画した前記映像データを、配信する前記端末装置及び前記ネットワークのいずれか、または両方の性能に合わせてトランスコードすることを特徴とする請求項１又は２に記載の録画再生装置。
【請求項４】
前記端末装置から録画した前記映像データの削除要求を受けて、その映像データを削除する削除部をさらに備えたことを特徴とする請求項１又は２に記載の録画再生装置。
【請求項５】
前記映像配信部は、前記映像データの再生要求を受信した回数を前記端末装置のユーザ毎にカウントし、録画した前記映像データを前記端末装置に配信する回数をユーザ毎に制限することを特徴とする請求項１又は２に記載の録画再生装置。
【請求項６】
録画した前記映像データ及び再生済みの前記映像データのいずれか、または両方を一定期間経過後に削除する削除部をさらに備えたことを特徴とする請求項１又は２に記載の録画再生装置。
【請求項７】
前記映像配信部は、前記映像データの配信時にその再生が途中で停止された場合に、その該当映像データの停止位置を記録し、前記映像データの次回配信時に前記停止位置から該当映像データの配信を開始することを特徴とする請求項１又は２に記載の録画再生装置。
【請求項８】
端末装置との間で通信可能なネットワーク上に配置される録画再生装置の動作方法であって、
前記端末装置から前記ネットワークを介して映像データの録画予約要求を受け、
前記ネットワークからマルチキャスト、ブロードキャスト、及びユニキャストの少なくとも一つを用いて前記端末装置に配信される映像データを受信し、
受信した前記映像データを前記録画予約要求に基づいて録画し、
録画した前記映像データを、その映像データの再生要求を行った端末装置に前記ネットワークを介して配信する、
ことを特徴とする録画再生装置の動作方法。
【請求項９】
前記映像データを録画するときに、前記映像データの録画予約要求の有無にかかわらず、受信した映像データすべてを録画し、
前記映像データを配信するときに、録画した前記映像データを、事前にその映像データの録画予約要求を行った端末装置に配信することを特徴とする請求項８に記載の録画再生装置の動作方法。
【請求項１０】
さらに、前記端末装置から録画した前記映像データの削除要求を受けて、その映像データを削除することを特徴とする請求項８又は９に記載の録画再生装置の動作方法。
【手続補正２】
【補正対象書類名】明細書
【補正対象項目名】００７８
【補正方法】変更
【補正の内容】
【００７８】
また、上述した構成要素の各機能の内の少なくとも一部は、ＣＰＵ（Central Processing Unit）を有するマイクロプロセッサ等の処理装置で構成されるコンピュータによるソフトウェア処理で実現してもよい。この場合、コンピュータを機能させるためのプログラムは、本発明の範疇に含まれる。このプログラムは、ＣＰＵにより直接実行可能な形式のプログラムに限らず、ソース形式のプログラムや、圧縮処理されたプログラム、暗号化されたプログラム等、種々形態のプログラムを含む。また、このプログラムは、装置全体の制御を行うＯＳ（オペレーティングシステム）やファームウェア等の制御プログラムと連携して動作し、或いはその一部に組み込まれて一体的に動作するアプリケーションプログラムやそれを構成するソフトウェア部品（ソフトウェアモジュール）等、いずれの形態でも提供可能である。さらに、このプログラムは、ネットワーク上のサーバ等の外部ノードからダウンロードして自装置内の記録媒体にインストールして使用することもできる。これらの形態は、実際に使用する装置の機能や用途等の事情に応じて適宜選択、変更、変形等して実施してもよい。
【手続補正３】
【補正対象書類名】明細書
【補正対象項目名】００８０
【補正方法】変更
【補正の内容】
【００８０】
また、上記実施の形態では、端末装置として携帯電話機を用いる場合を説明しているが、本発明は必ずしもこれに限定されず、ＰＤＡ（Personal Digital Assistant）などの他の端末装置でも適用可能である。
【国際調査報告】
2009128492.tif 000008
2009128492.tif 000009
2009128492.tif 000010
2009128492.tif 000011